(57)【特許請求の範囲】
【請求項１】
サッカー用のスパイクシューズのソールであって、
少なくとも前足部を有するソールのベースと、該ベースの前足部において地面に向って突出する複数のクリートとが樹脂により一体に形成され、
前記各々のクリートは；
三角形の頂点の位置に配置され、かつ、概ね円柱形ないし円錐台形の３本のスタッドと、
前記スタッド同士の間を互いに連結し、前記ベースから突出する高さが前記スタッドの突出高さよりも低く、かつ、前記スタッドの直径よりも薄い厚みを持つ堤状に形成されて、地面に入り込み足を踏み出す際に土と係合する複数の連結部とを備え、
前記複数のクリートのうちの１つのクリートは足の母趾球に対応する位置に配置され、
前記複数のクリートのうちの別の１つのクリートは足の爪先に対応する位置に配置され、
前記爪先に対応する位置に配置された前記クリートの前記スタッドが前記母趾球に対応する位置に配置された前記クリートの前記スタッドよりも小さく設定されており、
前記足の母趾球に対応する位置に配置されたクリートは概ねＹ字状となるように、前記連結部が前記スタッド間を連結しているスパイクシューズのソール。
【請求項２】
請求項１において、
前記複数のクリートのうちの更に別の１つのクリートとして、足の小趾球に対応する位置に配置されたクリートを有するスパイクシューズのソール。
【請求項３】
請求項２において、
前記爪先に対応する位置に配置された前記クリートの前記スタッドが前記小趾球に対応する位置に配置された前記クリートの前記スタッドよりも小さく設定されているスパイクシューズのソール。
【請求項４】
請求項１、２もしくは３において、
前記ソールのベースは前足部から後足部まで連なって一体に樹脂で形成されているスパイクシューズのソール。
【発明の詳細な説明】
【０００１】
【発明の背景】
発明の分野：
本発明はスパイクシューズのソールの特にクリート（滑り止め）に関するものである。
【０００２】
従来の技術：
クリートの滑り止め機能を十分に発揮するには、クリートが地中に入り込む深さを深くする必要がある。
また、クリートには、滑り止め機能の他に、種々の機能が要求される。これらの機能としては、たとえば、クリートを構成するスタッドからの突き上げ感を小さくする。また、他の機能としては、足の部位に応じて、前方や側方へのダッシュのために土との係合面積を広くする必要があったり、あるいは、ターンの際などに回転運動をできるだけ阻害しないような構造が好ましい。
【０００３】
USP 3,063,171 号には、図４（ａ），図４（ｂ）に示すソールおよびクリートが開示されている。
これらの図において、ソール２００には金属製のクリート２０１が固定されている。クリート２０１は、３枚のブレード２０２を３本のアーム２０３で連結してなる。このクリート２０１は前足部全体に対し、１つだけ取り付けてあり、３枚のブレード２０２を連結するアーム２０３が長いので、ブレード２０２に生じる反力（突き上げ）が足裏に伝わり易い。また、１枚のブレード２０２により、足の各部位の滑りを止めるので、足の部位に応じた機能を十分に発揮することはできない。更に、各ブレード２０２が刃状であるため、地面への入り込み深さが深くなるという利点がある反面、滑り止め方向が限定され、十分な滑り止め効果が得られないという欠点がある。
【０００４】
USP 4,392,312 号には、図５（ａ），図５（ｂ）に示すソールおよびクリートが開示されている。
これらの図において、ソール３００には、Ｖ字状ないし三ツ葉状のクリート３０１，３０２が前足部および後足部に、それぞれ複数設けてある。これらのクリート３０１，３０２は、土との係合面積を大きくしようとすると、クリート３０１，３０２の表面積が大きくなるので、クリート３０１，３０２が地中に入り込む深さが浅くなる。
【０００５】
【発明の概要】
したがって、本発明の目的は、クリートの地中への入り込み深さが深く、かつ、足への突き上げ感が小さく、しかも、土との係合面積が大きくなり得ると共に各クリートの形状および配置の設定自由度が高いスパイクシューズのソールを提供することである。
【０００６】
前記目的を達成するための本発明のスパイクシューズのソールは、サッカー用のスパイクシューズのソールであって、少なくとも前足部を有するソールのベースと、該ベースの前足部において地面に向って突出する複数のクリートとが樹脂により一体に形成され、前記各々のクリートは；三角形の頂点の位置に配置され、かつ、概ね円柱形ないし円錐台形の３本のスタッドと、前記スタッド同士の間を互いに連結し、前記ベースから突出する高さが前記スタッドの突出高さよりも低く、かつ、前記スタッドの直径よりも薄い厚みを持つ堤状に形成されて、地面に入り込み足を踏み出す際に土と係合する複数の連結部とを備え、前記複数のクリートのうちの１つのクリートは足の母趾球に対応する位置に配置され、前記複数のクリートのうちの別の１つのクリートは足の爪先に対応する位置に配置され、前記爪先に対応する位置に配置された前記クリートの前記スタッドが前記母趾球に対応する位置に配置された前記クリートの前記スタッドよりも小さく設定されており、前記足の母趾球に対応する位置に配置されたクリートは概ねＹ字状となるように、前記連結部が前記スタッド間を連結している。
【０００７】
【発明の効果】
本発明において、クリートは概ね円柱形ないし円錐台形の３本のスタッドを備えており、これらのスタッドが地中に深く入り込む。しかも、３本のスタッドを三角形の頂点の位置に配置しているので、足の各部位を安定した状態で支持できる。
また、スタッド間を連結する堤状の連結部は、スタッドに加わる地面からの反力を分散させるので、足への突き上げ感を和らげる。
しかも、前記堤状の連結部も地面に入り込み、この入り込んだ連結部によって、足を踏み出す際などにおいて、連結部が土と係合する。したがって、土との係合面積が大きくなる。
さらに、スタッドおよび連結部の高さや形状を適宜組み合わせることにより、足の各部位の特性や使用条件に合わせて、各クリートの形状を変化させたり、各クリートの配置を行うことができる。
【０００８】
本発明において、前記クリートとして下記の第１，第２および第３のクリートを含むのが好ましい。
前記第１のクリートは足の母趾球に対応する位置に配置されている。前記第２のクリートは、足の小趾球に対応する位置に配置されている。前記第３のクリートは、足の爪先に対応する位置に配置されている。
【０００９】
本発明において、第１クリートは、前足部（踏み付部）における足の母趾球の若干後方の位置に配置するのが好ましく、一方、第２クリートは、前足部（踏み付部）における足の小趾球の若干後方の位置に配置するのが好ましい。
【００１０】
前記第１のクリートは、方向転換する際に足の回転運動を阻害しないように、スタッドを正三角形の頂点となる位置に配置し、かつ、連結部を概ねＹ字状となるように形成する。
【００１１】
また、爪先の動作方向も種々の方向が考えられるので、前記第３のクリートも前記第１のクリートと同様に、正三角形の頂点の位置にスタッドを配置するのが好ましい。
また、爪先に作用する鉛直荷重は一般に母趾球の数十％程度であり、したがって、入り込む深さを十分に確保するためには、第３のクリートを第１のクリートよりも小さくする。
【００１２】
本発明においては、前記第１のクリートと前記第３のクリートとの間の位置に第４のクリートを設け、前記第２のクリートと前記第３のクリートとの間の位置には第５のクリートを設けるのが好ましい。
【００１３】
母趾球および小趾球の若干前方の位置においては、前方および横方向に踏み出す際に大きな力が作用する。したがって、前記第４および第５のクリートは、概ねＬ字状ないしＶ字状となるように、連結部がスタッド間を連結するのが好ましい。また、本発明において、クリートに土や石が詰まることを防止するために、クリートを三角形状とはせず、クリートが概ねＹ字状、Ｌ字状、Ｖ字状またはＴ字状等になるように、連結部によりスタッド間を連結するのが好ましい。
【００１４】
【実施例の説明】
本発明は、添付の図面を参考にした以下の好適な実施例の説明からより明瞭に理解されるであろう。しかしながら、実施例および図面は図示および説明のためのものである。本発明の範囲は請求の範囲に基づいて定められる。添付図面において、複数の図面における同一の部品番号は、同一または相当部分を示す。
【００１５】
図１はサッカー用のスパイクシューズのソールを示す。
前記ソールは、ベース５０とベース５０から地面に向って突出する第１〜第７のクリート１，２，３Ａ，３Ｂ，４〜７とが樹脂で一体に形成されてなる。前記ベース５０は、前足部５１，踏まず部５２および後足部５３が連なって一体に形成されている。前記踏まず部５２にはリブ５４が一体に形成されている。
【００１６】
前記各クリート１，２，３Ａ，３Ｂ，４〜７は、３本のスタッド２０と複数の連結部２１，２２，２３または２４とで形成されている。各クリート１，２，３Ａ，３Ｂ，４〜７の各スタッド２０は三角形の頂点の位置に配置され、かつ、概ね円錐台形に形成されている。このように、各スタッド２０を三角形の頂点の位置に配置することにより、足の各部位を安定した状態で支持できる。
【００１７】
図２（ａ），図２（ｂ）および図２（ｃ）に明示するように、前記連結部２１〜２４は、スタッド２０の地中への入り込みを阻害しないように前記ベース５０から突出する高さＨ１が前記スタッド２０の突出高さＨ０よりも低く、かつ、スタッド２０の直径Ｄよりも薄い厚みＷを持つ堤状に形成されている。前記各連結部２１〜２４は、各スタッド２０，２０間を連結している。前記連結部２１〜２４は、地中へ入り込み易くするために当該連結部に連結されるスタッド２０，２０間の中央からスタッド２０に近づくに従い突出高さＨ１が徐々に高くなるように、かつ、幅Ｗが徐々に広くなるように形成されている。
【００１８】
図３に示すように、前記クリート１，２，３Ａ，３Ｂ，４〜７のうち前記第１のクリート１は、前足部５１における足の母趾球Ｆ１よりも若干後方の位置に配置されている。前記第２のクリート２は、前足部５１における足の小趾球Ｆ５よりも若干後方の位置に配置されている。すなわち、第１および第２のクリート１，２は、前足部５１における中足趾節関節ＭＰの若干後方の位置に配置されている。一対の第３のクリート３Ａ，３Ｂは、前足部５１における爪先Ｆ６の趾節関節よりも前方の位置に配置されている。図２（ａ）に示すように、前記一対の第３のクリート３Ａ，３Ｂは、足の内側１１と外側１０に分かれて配置されている。前記第１のクリート１と左側の第３のクリート３Ａとの間の位置には、前記第４のクリート４が設けてある。前記第２のクリート２と右側の第３のクリート３Ｂとの間の位置には、第５のクリート５が設けてある。したがって、第１，第４および第３のクリート１，４，３Ａが足の内側１１に配列され、一方、第２，第５および第３のクリート２，５，３Ｂが足の外側に配列されていることになる。
【００１９】
前記第１および第３のクリート１，３Ａ，３Ｂは、それぞれ、概ねＹ字状となるように、３本の連結部２１がスタッド２０，２０間を連結している。動作開始時にスムースな動きができるように、前記第３のクリート３Ａ，３Ｂの前記スタッド２０は前記第１および第２のクリート１，２のスタッド２０よりも小さな直径および高さに設定されている。
前記第３のクリート３Ａ，３Ｂ以外の各クリート１，２，４〜７については、スタッド２０の表面における直径を概ね５mm〜９mm程度に設定するのが好ましい。このように直径を小さくして各スタッド２０の底面積を一般的な円錐スタッドの３分の１程度にすることにより、スタッドの地面への入り込み深さが大きくなり、滑り止め効果が高まる。
なお、第３のクリート３Ａ，３Ｂについては、左右に一対設けたので各スタッド２０の直径を前記他のクリート１，２，４〜７の各スタッド２０の直径よりも小さく設定すべきであり、たとえば、５mm程度に設定するのが好ましい。
【００２０】
前記第２，第４および前記第５のクリート２，４，５は、それぞれ、概ねＬ字状ないしＶ字状となるように、連結部２２，２３がスタッド２０，２０間を連結している。前記連結部のうちの１つの連結部２２は、横方向の滑り止め効果を高めるために、靴の概ね側縁（長手方向）に沿って配置されている。
【００２１】
ベース５０の後足部５３には、第６および第７のクリート６，７が設けてある。図１に示すように、各クリート１〜７のスタッド２０の突出高さＨ０はソールの後足部５３から前端５１ｅに近づくに従い徐々に低くなるように設定されている。これにより、動作開始や着地などの際に、スムースな動きができるようになる。
【００２２】
上記構成においては、各スタッド２０は地面に突き刺さって地面に深く入り込む。一方、連結部２１〜２４はスタッド２０に作用する地面からの反力を分散させる。そのため、ソールのベース５０から足に伝わる力が分散されるので、足への突き上げ感が和らげられる。
【００２３】
一方、図２（ｂ）および図２（ｃ）のクリート２０の側面だけでなく連結部２１〜２４の側面も、地中において土と係合する。したがって、土との係合面積が大きくなるので、停止やダッシュの運動機能が高まる。
【００２４】
図３の母趾球Ｆ１ないし、その若干後方の部位においては、最も大きな鉛直荷重が作用すると共に、方向転換の動作の回転中心となる場合が多い。この部位には、かかる動作をスムースに行えるように、３本のスタッド２０が正三角形の頂点に配置されたＹ型の前記第１のクリート１が設けてある。
【００２５】
小趾球Ｆ５ないしその若干後方の部位においては、横方向および前後方向のグリップ性が要求される。そのため、この部位には、Ｌ型の前記第２のクリート２が設けてある。
【００２６】
中足趾節関節ＭＰの若干前方の部位においては、横方向および前後方向のグリップ性が要求され、特に、横方向については他よりも高いグリップ性が要求される。そのため、この部位にはＬ型の前記第４および第５のクリート４，５が設けてあり、また、靴の内側縁または外側縁（長手方向）に概ね沿った連結部２２を長くしている。
【００２７】
爪先Ｆ６の近傍の部位においては、動作ごとに作用する荷重の方向が異なる。そのため、Ｙ型の前記第３のクリート３Ａ，３Ｂが設けてある。また、この部位に作用する鉛直荷重は母趾球Ｆ１の数十％程度であるから、地中への入り込み深さを確保するため、スタッド２０の直径を第１のクリート１のスタッド２０の直径よりも小さくしている。
【００２８】
以上のとおり、図面を参照しながら好適な実施例を説明したが、当業者であれば、本明細書を見て、自明な範囲で種々の変更および修正を容易に想定するであろう。
たとえば、各連結部の高さや幅を一定としてもよい。
また、後足部のクリートは円柱形やその他の形状のクリートとしてもよい。
また、スタッドを円錐台形ではなく、略円柱形としてもよい。
したがって、そのような変更および修正は、請求の範囲から定まる本発明の範囲内のものと解釈される。
【図面の簡単な説明】
【図１】図１は本発明の一実施例を示すスパイクシューズのソールの斜視図である。
【図２】図２（ａ）は同底面図、図２（ｂ）は第４のクリートの側面図、図２（ｃ）は第１のクリートの側面図である。
【図３】図３はソールと足の骨格との関係を示すソールの底面図である。
【図４】図４（ａ）はU.S.P. 3,063,171号に開示されたシューズの底面図、図４（ｂ）はクリートの斜視図である。
【図５】図５（ａ）はU.S.P. 4,392,312号に開示されたソールの底面図、図５（ｂ）はクリートの斜視図である。
【符号の説明】
１，２，３Ａ，３Ｂ，４〜７：第１〜第７のクリート
１０：足の外側
１１：足の内側
２０：スタッド
２１〜２４：連結部
５０：ベース
５１：前足部
５１ｅ：ソールの前端
Ｄ：スタッドの直径
Ｆ１：母趾球
Ｆ５：小趾球
Ｆ６：爪先
Ｈ０：スタッドの突出高さ
Ｈ１：連結部の突出高さ
Ｗ：連結部の幅（厚み）
【図１】
0004612212.tif 000002
【図２】
0004612212.tif 000003
【図３】
0004612212.tif 000004
【図４】
0004612212.tif 000005
【図５】
0004612212.tif 000006